(57)【要約】  動的に、および、２以上のアクセスポイントに対し同じチャネルを同時に割付けること無しに、セル間でチャネルを共有するためのメカニズムを提供することが、本発明の目的である。本発明に従って、無線アクセス・ネットワークにおける第１のアクセスポイントのための動的セル間チャネル共有の方法により、上述の目的を達成し、第１のアクセスポイントは、無線アクセス・ネットワーク内の多数のセルの第１のセルと関連し、第１のセルに位置する少なくとも一つの第１のユーザ機器をネットワーク基盤に接続するために、第１のアクセスポイントを適用し、多数のセル内の第２の隣接セルで特定チャネルを使用しているか否かを示す報告を少なくとも一つの第１のユーザ機器から受信するステップを備え、上述の報告は、第２の隣接セルと関連する少なくとも一つの第２のアクセスポイントから送信する第１の情報に基づいており、上述の情報はユーザ機器によって検出され、そして、上述の情報は第２の隣接セルで特定チャネルを使用しているか否かを示す。
2009521829.tif 000002
【特許請求の範囲】
【請求項１】
無線アクセス・ネットワーク（１００）の第１のアクセスポイント（１２２）のための動的セル間チャネル共有の方法であって、前記第１のアクセスポイント（１２２）は前記無線アクセス・ネットワーク（１００）内の多数のセル（１１２，１１４，１１６）の第１のセル（１１２）と関連付けられており、前記第１のアクセスポイントは前記第１のセルに位置する少なくとも１つの第１のユーザ機器（Ａ１）をネットワーク基盤（１３０）に接続するのに適したものであり、前記方法は、
前記多数のセル（１１２，１１４，１１６）の第２の隣接セル（１１４，１１６）で特定チャネルが使用されているか否かを示す報告を、前記少なくとも１つの第１のユーザ機器（Ａ１）から受信（３０２）するステップであって、前記報告は、前記第２の隣接セル（１１４，１１６）と関連付けられた少なくとも１つの第２のアクセスポイントから送信される第１の情報に基づくものであり、前記第１の情報は、前記第１のユーザ機器（Ａ１）により検出され、前記第２の隣接セル（１１４，１１６）で特定チャネルが使用されているか否かを示しているものである、ステップ
を備えることを特徴とする方法。
【請求項２】
前記第１のセル（１１２）で前記特定チャネルを使用するとき、前記第１のセルで前記特定チャネルが使用されていることを示す第２の情報を送信（３０３）するステップをさらに備えることを特徴とする請求項１に記載の方法。
【請求項３】
前記報告を要求する要求を前記少なくとも１つの第１のユーザ機器（Ａ１）に送信（３０１）するステップをさらに備えることを特徴とする請求項１または２に記載の方法。
【請求項４】
前記要求は、前記第１のユーザ機器（Ａ１）が前記第１の情報を検出する第２のアクセスポイント（１２４，１２６）のアイデンティティを含むことを特徴とする請求項３に記載の方法。
【請求項５】
前記報告を評価（３０３）するステップと、
前記評価に従って特定チャネルが利用可能な場合、使用することになる特定チャネルを選択（３０３）するステップと、
をさらに備えることを特徴とする請求項１乃至４の何れか一項に記載の方法。
【請求項６】
前記第２のアクセスポイント（１２４，１２６）が同一の特定チャネルを割り当てるか否かを検出するために、検出窓の間、前記第１のユーザ機器（Ａ１）からの第１の情報の受信および評価を保持（３０４）するステップ
をさらに備えることを特徴とする請求項１乃至５の何れか一項に記載の方法。
【請求項７】
前記特定チャネルが使用が必要なくなった場合、前記第２の情報の送信を停止（３０７）するステップ
をさらに備えることを特徴とする請求項１乃至６の何れか一項に記載の方法。
【請求項８】
検出窓の間、第２の隣接セル（１１４，１１６）で前記特定チャネルが使用されていることを示す報告が受信された場合、前記第２の情報の送信を停止（３０８）するステップ
をさらに備えることを特徴とする請求項１乃至７の何れか一項に記載の方法。
【請求項９】
選択された前記特定チャネルを割り当てるための任意の試行を止めるまで、ランダム数を取り出すことにより定義されるバックオフ窓の間、前記第１のユーザ機器（Ａ１）から報告の受信および評価を保持（３０９）するステップ
をさらに備えることを特徴とする請求項８に記載の方法。
【請求項１０】
前記セル間チャネル共有は、パケット・バイ・パケット原則のセル間チャネルに使用され、
前記第１のユーザ機器（Ａ１）からのアップリンク・スケジュール要求の中の前記第１の情報の報告を受信（４０１）するステップ
をさらに備えることを特徴とする請求項１乃至９の何れか一項に記載の方法。
【請求項１１】
第２の情報を送信する前記ステップは、使用されている前記特定チャネルに関連する基準シンボル（Ｐｕ，ｉ，Ｐｄ，ｊ）を送信することにより実行されることを特徴とする請求項１乃至１０の何れか一項に記載の方法。
【請求項１２】
基準シンボル（Ｐｕ，ｉ，Ｐｄ，ｊ）は、前記特定チャネルのアップリンク・チャネル（Ｃｕ，ｉ）およびダウンリンク・チャネル（Ｃｄ，ｊ）の各々に関連付けられていることを特徴とする請求項１１に記載の方法。
【請求項１３】
前記基準シンボルを送信している前記第１のアクセスポイント（１２２）のアクセスポイント・アイデンティティは、基準シンボル（Ｐｕ，ｉ，Ｐｄ，ｊ）に符号化されることを特徴とする請求項１１または１２に記載の方法。
【請求項１４】
前記第１の情報を探索する前記要求は、隣接する第２のアクセスポイント（１２４，１２６）のアイデンティティを含み、それにより、前記第１のユーザ機器（Ａ１）は前記第１の情報が送信された場合に検出することを特徴とする請求項１乃至１３の何れか一項に記載の方法。
【請求項１５】
前記第２の情報は同報チャネルで送信されることを特徴とする請求項１乃至１０の何れか一項に記載の方法。
【請求項１６】
前記第２の情報はチャネル・アイデンティティおよび対応するチャネル収容能力を含むベクトルのセットを含むことを特徴とする請求項１５に記載の方法。
【請求項１７】
無線アクセス・ネットワーク（１００）における動的セル間チャネル共有のためのコンピュータプログラム製品（９００）であって、
第１のアクセスポイント（１２２）にロードされたとき、該第１のアクセスポイント（１２２）の内部に設置されたコンピュータの処理手段に請求項１乃至１６の何れか一項に記載の方法の各ステップを実行するよう制御させるためのコンピュータプログラムコードを備えることを特徴とするコンピュータプログラム製品（９００）。
【請求項１８】
無線アクセス・ネットワーク（１００）の第１のユーザ機器（Ａ１）のための動的セル間チャネル共有の方法であって、前記無線アクセス・ネットワーク（１００）は多数のセル（１１２，１１４，１１６）を含み、前記第１のユーザ機器（Ａ１）は前記多数のセル（１１２，１１４，１１６）の第１のセル（１１２）に位置し、前記第１のユーザ機器（Ａ１）は前記第１のセル（１１２）と関連付けられた第１のアクセスポイント（１２２）を介してネットワーク基盤（１３０）に接続可能であり、前記方法は、
第１の情報が前記多数のセル（１１２，１１４，１１６）の第２のセル（１１４，１１６）に関連付けられた少なくとも１つの第２のアクセスポイント（１２４，１２６）から送信された場合、前記第１のセル（１１２）と隣接している前記第２のセル（１１４，１１６）を検出（６０２）するステップであって、前記第１の情報は前記第２の隣接セル（１１４，１１６）で特定チャネルが使用されているか否かを示している、ステップと、
検出された前記第１の情報に基づいて、前記第２の隣接セル（１１４，１１６）で特定チャネルが使用されているか否かに関する報告を前記第１のアクセスポイント（１２２）に送信（６０３）するステップと、
を備えることを特徴とする方法。
【請求項１９】
前記第１の情報を送信している隣接する第２のアクセスポイント（１２４，１２６）のアクセスポイント・アイデンティティは、送信する前記ステップ（６０３）で報告される前記報告に含まれることを特徴とする請求項１８に記載の方法。
【請求項２０】
前記第１の情報を検出する前記ステップは、基準シンボルが前記第２のアクセスポイント（１２２）から送信された場合に測定するステップにより実行されることを特徴とする請求項１８または１９に記載の方法。
【請求項２１】
前記第１の情報を検出する前記ステップは、第１の情報が前記第２のアクセスポイント（１２２）から送信された場合に同報チャネルを聴取するステップにより実行されることを特徴とする請求項１８または１９に記載の方法。
【請求項２２】
前記第１の情報が前記第２のアクセスポイント（１２４，１２６）から送信されたか否かを要求する、前記第１のアクセスポイント（１２２）からの要求を受信（６０１）するステップをさらに備えることを特徴とする請求項１８乃至２１の何れか一項に記載の方法。
【請求項２３】
前記セル間チャネル共有は、パケット・バイ・パケット原則のセル間チャネルに使用され、
前記特定チャネルが前記第２の隣接セル（１１４，１１６）で使用されているか否かの報告（５０３）を含む、前記第１のアクセスポイント（１２２）へのスケジュール要求を送信（７０２）するステップをさらに備えることを特徴とする請求項１８乃至２２の何れか一項に記載の方法。
【請求項２４】
報告された前記第１の情報に基づいて前記第１のアクセスポイント（１２２）により選択された前記特定チャネルのためのスケジュール許可を受信（７０４）するステップをさらに備えることを特徴とする請求項２３に記載の方法。
【請求項２５】
無線アクセス・ネットワーク（１００）における動的セル間チャネル共有のためのコンピュータプログラム製品（９００）であって、
前記第１のユーザ機器（Ａ１）にロードされたとき、該第１のユーザ機器（Ａ１）の内部に設置されたコンピュータの処理手段に請求項１８乃至２４の何れか一項に記載の方法の各ステップを実行するよう制御させるためのコンピュータプログラムコードを備えることを特徴とするコンピュータプログラム製品（９００）。
【請求項２６】
無線アクセス・ネットワークの第１のアクセスポイント（１２２）における動的セル間チャネル共有のための装置（５００）であって、前記第１のアクセスポイント（５００）は前記無線アクセス・ネットワーク（１００）内の多数のセル（１１２，１１４，１１６）の第１のセル（１１２）と関連付けられており、前記第１のアクセスポイント（１２２）は前記第１のセル（１１２）に位置する少なくとも１つの第１のユーザ機器（Ａ１）をネットワーク基盤（１３０）に接続するのに適したものであり、前記第１のアクセスポイント装置（５００）は
前記多数のセル（１１２，１１４，１１６）の第２の隣接セル（１１４，１１６）で特定チャネルが使用されているか否かを示す報告を、前記少なくとも１つの第１のユーザ機器（Ａ１）から受信する手段（５０２）であって、前記報告は、前記第２の隣接セル（１１４，１１６）と関連付けられた少なくとも１つの第２のアクセスポイント（１２４，１２６）から送信される第１の情報に基づくものであり、前記情報は、前記第１のユーザ機器（Ａ１）により検出され、前記第２の隣接セル（１１４，１１６）で特定チャネルが使用されているか否かを示しているものである、手段
を備えることを特徴とするアクセスポイント装置（５００）。
【請求項２７】
前記第１のセル（１１２）で前記特定チャネルを使用する場合に第２の情報を送信する手段（５０３）をさらにを備え、
前記第２の情報は、前記第１のセル（１１２）に隣接する前記第２のセル（１１４，１１６）の中の第２のユーザ機器（Ｂ１，Ｃ１，Ｃ２）により検出されるものであり、前記第２の情報は、前記特定チャネルが前記第１のセル（１１２）で使用されていることを示す、ことを特徴とする請求項２６に記載のアクセスポイント装置（５００）。
【請求項２８】
前記第１のセル（１１２）の前記少なくとも１つの第１のユーザ機器（Ａ１）に、前記第１の情報の探索を要求する要求を送信する手段（５０１）をさらに備えることを特徴とする請求項２６または２７に記載のアクセスポイント装置（５００）。
【請求項２９】
前記報告の中の前記第１の情報を評価する手段（５０４）と、
前記評価により前記チャネルが利用可能な場合、該特定チャネルが使用されるように選択する手段（５０５）と、
をさらに備えることを特徴とする請求項２６乃至２８の何れか一項に記載のアクセスポイント装置（５００）。
【請求項３０】
選択された前記特定チャネルにおけるトラフィックをスケジュールする手段（５０６）をさらに備えることを特徴とする請求項２６乃至２９の何れか一項に記載のアクセスポイント装置（５００）。
【請求項３１】
前記特定チャネルを使用する必要がなくなった場合、前記第２の情報の送信を停止する手段（５０７）をさらに備えることを特徴とする請求項２６乃至３０の何れか一項に記載のアクセスポイント装置（５００）。
【請求項３２】
検出窓の間、第２の隣接セル（１１４，１１６）で前記特定チャネルが使用されていることを示す報告が受信された場合、前記第２の情報の送信を停止する手段（５０７）をさらに備えることを特徴とする請求項２６乃至３１の何れか一項に記載のアクセスポイント装置（５００）。
【請求項３３】
前記セル間チャネル共有は、パケット・バイ・パケット原則のセル間チャネルに使用され、
前記第１の情報の報告は、前記第１のユーザ機器（Ａ１）からのアップリンク・スケジュール要求の中で受信可能であることを特徴とする請求項２６乃至３２の何れか一項に記載のアクセスポイント装置（５００）。
【請求項３４】
送信する前記手段（５０３）は、使用されている前記特定チャネルに関連する基準シンボル（Ｐｕ，ｉ，Ｐｄ，ｊ）を送信する手段（５０９）を含むことを特徴とする請求項２６乃至３３の何れか一項に記載のアクセスポイント装置（５００）。
【請求項３５】
基準シンボル（Ｐｕ，ｉ，Ｐｄ，ｊ）を前記特定チャネルのアップリンク・チャネル（Ｃｕ，ｉ）およびダウンリンク・チャネル（Ｃｄ，ｊ）の各々に関連付ける手段（５１０）をさらに備えることを特徴とする請求項３４に記載のアクセスポイント装置（５００）。
【請求項３６】
前記基準シンボルを送信している前記第１のアクセスポイント（１２２）のアクセスポイント・アイデンティティを基準シンボル（Ｐｕ，ｉ，Ｐｄ，ｊ）に符号化する手段（５１１）をさらに備えることを特徴とする請求項３４または３５に記載のアクセスポイント装置（５００）。
【請求項３７】
隣接する第２のアクセスポイント（１２４，１２６）のアイデンティティを含む手段（５１２）であって、それにより、前記第１のユーザ機器（Ａ１）は、前記第１の情報が前記第１の情報を探索する前記要求に送信された場合に検出する、手段
をさらに備えることを特徴とする請求項２６乃至３６の何れか一項に記載のアクセスポイント装置（５００）。
【請求項３８】
送信する前記手段（５０３）は、前記第２の情報を同報チャネルで送信する手段（５１３）を含むことを特徴とする請求項２６乃至３３の何れか一項に記載のアクセスポイント装置（５００）。
【請求項３９】
前記第２の情報はチャネル・アイデンティティおよび対応するチャネル収容能力を含むベクトルのセットを含むことを特徴とする請求項３８に記載のアクセスポイント装置（５００）。
【請求項４０】
無線アクセス・ネットワーク（１００）の第１のユーザ機器（Ａ１）における動的セル間チャネル共有のための装置（８００）であって、前記無線アクセス・ネットワーク（１００）は多数のセル（１１２，１１４，１１６）を含み、前記第１のユーザ機器（Ａ１）は前記多数のセル（１１２，１１４，１１６）の第１のセル（１１２）に位置し、前記第１のユーザ機器（Ａ１）は前記第１のセル（１１２）と関連付けられた第１のアクセスポイント（１２２）を介してネットワーク基盤（１３０）に接続可能であり、前記ユーザ機器装置（８００）は、
第１の情報が前記多数のセル（１１２，１１４，１１６）の第２のセル（１１４，１１６）に関連付けられた少なくとも１つの第２のアクセスポイント（１２４，１２６）から送信された場合、前記第１のセル（１１２）と隣接している前記第２のセル（１１４，１１６）を検出する手段（８０１）であって、前記第１の情報は前記第２の隣接セル（１１４，１１６）で特定チャネルが使用されているか否かを示している、手段と、
検出された前記第１の情報に基づいて、前記第２の隣接セル（１１４，１１６）で特定チャネルが使用されているか否かに関する報告を前記第１のアクセスポイント（１２２）に送信する手段（８０２）と、
を備えることを特徴とするユーザ機器装置（８００）。
【請求項４１】
送信する前記手段（８０２）は、送信する前記手段（８０２）により報告された報告に前記第１の情報を送信した前記第２のアクセスポイント（１２４，１２６）のアクセスポイント・アイデンティティを含む手段（５１２）を含むことを特徴とする請求項４０に記載のユーザ機器装置（８００）。
【請求項４２】
検出する前記手段（８０１）は、基準シンボル（Ｐｕ，ｉ，Ｐｄ，ｊ）が前記第２のアクセスポイント（１２２）から送信された場合に測定する手段（８０３）を含むことを特徴とする請求項４０または４１に記載のユーザ機器装置（８００）。
【請求項４３】
前記第１の情報を検出する前記手段（８０１）は、第１の情報が前記第２のアクセスポイント（１２２）から送信された場合に同報チャネルを聴取する手段（８０４）を含むことを特徴とする請求項４０乃至４２の何れか一項に記載のユーザ機器装置（８００）。
【請求項４４】
前記第１の情報が前記第２のアクセスポイント（１２４，１２６）から送信されているか否かを要求する要求を、前記第１のアクセスポイント（１２２）から受信する手段（８０５）をさらに備えることを特徴とする請求項４０乃至４３の何れか一項に記載のユーザ機器装置（８００）。
【請求項４５】
前記セル間チャネル共有は、パケット・バイ・パケット原則のセル間チャネルに使用され、
前記特定チャネルが前記第２の隣接セル（１１４，１１６）で使用されているか否かの報告を含む、前記第１のアクセスポイント（１２２）へのスケジュール要求を送信する手段（８０６）をさらに備えることを特徴とする請求項４１乃至４４の何れか一項に記載のユーザ機器装置（８００）。
【請求項４６】
報告された前記第１の情報に基づいて前記第１のアクセスポイント（１２２）により選択された前記特定チャネルのためのスケジュール許可を受信する手段（８０７）をさらに備えることを特徴とする請求項４５に記載のユーザ機器装置（８００）。
【発明の詳細な説明】
【技術分野】
【０００１】
本発明は、一般的には、セルラ無線アクセス・ネットワークにおけるアクセスポイントのための方法と装置、および、セルラ無線アクセス・ネットワークにおけるユーザ機器のための方法と装置に関する。具体的には、無線アクセス・ネットワークにおける動的なセル間チャネル共有に関する。
【背景技術】
【０００２】
周波数計画では、異なるチャネルに隣接セルを割り付け、ｋセル離れたセルでのみ同一セルを再利用する（ｋ再利用については、米国特許出願公開ＵＳ２００５／００９６０６２で説明している）ように、チャネルを割り付ける。周波数計画で達成する固定チャネル分割の難点は、一部のスペクトルのみがセルで利用可能であり、隣接セルのチャネルを一時期利用していなくても、あるセルで全スペクトルを利用できる可能性は全くないということである。従って、周波数の固定分割は、多くの場合、無線チャネルの利用率低下という結果をもたらす。
【０００３】
伝統的な周波数分割方法の更なる高性能版では、同一セルで多数の再利用分割を使用する。この場合では、セルを２個の領域に分割する。セルの内側では、周波数再利用は１個であり、外側（セル境界領域）では、再利用は１回以上（ｋ再利用）である。その様な方法については、米国特許公開番号ＵＳ２００２／０１１９７８１Ａ１で説明されており、異なるユーザにキャリアを割り付けるため、直交周波数分割多元接続（ＯＦＤＭＡ）ベースのシステムで使用される方法を示している。ユーザ機器は、利用可能なキャリアに対する測定を実施し、例えば、信号対雑音比（ＳＮＲ）およびトラヒック負荷測定のような、基準シンボルチャネルに対する信号品質を測定し、ユーザ機器自身のアクセスポイントにフィードバックする。次に、アクセスポイントはスケジュール決定をし、ユーザにキャリアを割り付ける。しかしながら、このスキームはそもそも下りリンクのためであり、同一キャリアの同時割当てを避けるためのアクセスポイント間の協調的動作における問題点は扱わない。もう一つの不利な点は、セルへのチャネルの固定的割付けを有するｋ再利用システムを仮定している、ということである。このやり方の主な利点は、一方ではチャネルをもっと効率的に利用し、他方ではセル境界での干渉を最小にしている、ということである。しかしながら、セルへのチャネル割当ては未だ固定されている。
【０００４】
もしもっと動的なチャネル割当てが要求されると、従来技術で利用可能な各種の動的チャネル割当て（ＤＣＡ）がある。これらのスキームに共通なことは、例えば、利用可能なチャネルへのトラヒック要求、チャネル品質等に依存して、ユーザ機器通信へ動的にチャネルを割当てる、ということである。ＤＣＡスキームは、チャネル割当ての時間ダイナミックス、スキームの分散型または集中型性質、決定のための入力に使用するパラメータおよび測定情報等に依存して変化する。
【０００５】
その様なＤＣＡスキームは、直交周波数分割多元接続ネットワークを使用して、米国特許２００５／００５８０９７で示されており、ＯＦＤＭＡベースのシステムで、異なるセルのユーザにサブチャネルを割り当てるために使用されている。この方法では、例えば無線ネットワーク制御装置（ＲＮＣ）のような中央制御装置の存在を仮定し、セル間で衝突が生じないようにチャネルを割り当てる。この解決策に伴う問題点は、中央装置、即ち、割当てを調整するＲＮＣを必要とし、これは、より高度の複雑さを意味する、ということである。
【発明の開示】
【発明が解決しようとする課題】
【０００６】
従って、１以上のアクセスポイントに同一チャネルが同時に割当てられること無しに、および、割当てを調整する中央装置を必要とせずに、セル間で動的にチャネルを共有するメカニズムを提供することが、本発明の目的である。
【課題を解決するための手段】
【０００７】
本発明に従い、無線アクセス・ネットワークの第１のアクセスポイントのため、動的セル間チャネル共有のための方法で目的を達成し、第１のアクセスポイントは、無線アクセス・ネットワーク内の多数のセルの中の第１のセルと関連するものであり、第１のアクセスポイントは、第１のセルに場所を定める少なくとも一つの第１のユーザ機器をネットワーク基盤に接続するよう適用されるものであり、前記方法には、前記多数のセル内の第２の隣接セルで特定チャネルを使用しているか否かを示す報告を受信するステップを備え、前記の報告は第２の隣接セルと関連する少なくとも１個の第２のアクセスポイントから送信された第１の情報に基づくものであり、第１の情報は第１のユーザ機器が検出したものであり、その情報は、第２の隣接セルで特定チャネルを使用しているか否かを示している。
【０００８】
本発明に従い、無線アクセス・ネットワークの第１のユーザ機器のため、動的セル間チャネル共有のための方法で、前記目的をまた達成し、無線アクセス・ネットワークには多数のセルを備え、第１のユーザ機器は前記多数のセル内の第１のセルに場所を定め、第１のユーザ機器は第１のセルと関連する第１のアクセスポイントを経由してネットワーク基盤に接続可能であり、前記方法には、前記多数のセル内の第２のセルと関連する少なくとも一つの第２のアクセスポイントから第１の情報を送信するかどうか検出するステップを備え、第２のセルは第１のセルに隣接するものであり、前記第１の情報は、第２の隣接セルで特定チャネルを使用しているか否かを示すものであり、第２の隣接セルで特定チャネルを使用しているか否かに関する報告を、検出した第１の情報に基づき、第１のユーザ機器と同一の第１のセルに場所を定める第１のアクセスポイントに送信するステップを備える。
【０００９】
本発明に従い、無線アクセス・ネットワークの第１のアクセスポイントにおける動的セル間チャネル共有のための装置で目的をまた達成し、第１のアクセスポイントは、無線アクセス・ネットワーク内の多数のセルの第１のセルと関連するものであり、第１のセルに位置する少なくとも一つの第１のユーザ機器をネットワーク基盤に接続するよう、第１のアクセスポイントを適合させ、アクセスポイント装置には、前記多数のセル内の第２の隣接セルで特定チャネルを使用しているか否かを示す報告を、前記少なくとも一つの第１のユーザ機器から受信する手段を備え、前記報告は、第２の隣接セルと関連する少なくとも一つの第２のアクセスポイントから送信する第１の情報に基づくものであり、ユーザ機器は前記情報を検出し、その情報は、第２の隣接セルで特定チャネルを使用しているか否かを示すものである。
【００１０】
本発明に従い、無線アクセス・ネットワークの第１のユーザ機器のための動的セル間チャネル共有のための装置で目的をまた達成し、無線アクセス・ネットワークには多数のセルを備え、第１のユーザ機器は前記多数のセル内の第１のセルに場所を定め、第１のユーザ機器は第１のセルと関連する第１のアクセスポイントを経由してネットワーク基盤に接続可能であり、前記ユーザ機器装置には、前記多数のセル内の第２のセルと関連する少なくとも一つの第２のアクセスポイントから第１の情報を送信するかどうか検出する手段を備え、第２のセルは第１のセルに隣接するものであり、第１の情報は、第２の隣接セルで特定チャネルを使用しているか否かを示すものであり、第２の隣接セルで特定チャネルを使用するか否かに関する報告を、検出した第１の情報に基づき、第１のアクセスポイントに送信する手段を備える。
【発明の効果】
【００１１】
隣接セルにおける第２のアクセスポイントが特定チャネルを使用しているか否か、および、それを第１のアクセスポイントに報告しているか否か、を第１のユーザ機器が検出し、さらに、前記報告により隣接セルで使用していなければ、第１のアクセスポイントは特定チャネルを選択し、一つ以上のアクセスポイントによる同じチャネルの同時割付け無しに、および、割付けを調整する中央装置を必要性とせず、セル間で動的にチャネルを共有できる。
【００１２】
本発明の利点は、各セルの現行の負荷に依存して、セル間干渉が全く生じないようにセル間の無線チャネルを動的に共有することである。これにより静的な割付けによる非効率を避けることができる。
【００１３】
もう一つの利点は、本発明のスキームが、アクセスポイント間で中央調整装置または信号の通信を必要としない、ということである。各アクセスポイントは自動的にチャネル割付けを決定できる。それでもなお、チャネル共有の効率は、中央制御装置がある場合または中央スケジューリング装置がある場合と同じくらい良好である。
【００１４】
本発明のもう一つの利点は、スケジューリング決定がアクセスポイントに残っており、従って全ての高度なリンク適応、周波数領域スケジューリング等のメカニズムを使用できる、ということである。
【００１５】
本発明のもう一つの利点は、基準シンボル送信または同報チャネル受信がチャネルを使用しているか否かを、簡単に見つけ出すことのみをユーザ機器が実行する必要があり、隣接アクセスポイントとの信号の通信を維持する必要がない、ということである。ユーザ機器は、アクセスポイントが要求するとき以外は、連続的に検出していなければならないという必要は無い。とにかく、ユーザ機器は、同じく他の理由で、同様の基準シンボル測定（例えば、チャネル評価、リンク適応）を、しなければならないので、本発明によるスキームでは、ユーザ機器に対して追加の測定負荷を持ち込んでいない。
【発明を実施するための最良の形態】
【００１６】
セルラ・システムでは、セル間干渉を避けるため、周波数再利用を典型的に採用する。周波数スペクトルを多数の周波数バンドに分割し、各セルに利用可能なバンドのサブセットを割付ける。周波数再利用の更に一般的な解釈では、セル間で共有する無線チャネルは、符号分割多元接続（ＣＤＭＡ）の場合では符号、直交波周波数分割多重（ＯＦＤＭ）では時間周波数グリッド（チャンク）であることが可能である。一般的に、その様な無線チャネルを参照して、チャネルという用語を使用するであろう。
【００１７】
図１に無線アクセス・ネットワーク１００を示すが、それには、図１に示すセル１１２、１１４および１１６からなる多数のセルを備え、周波数スペクトルを多数の周波数バンドに分割し、無線アクセス・ネットワーク１００は、例えば符号分割多元接続（ＣＤＭＡ）または直交波周波数分割多重（ＯＦＤＭ）のような技術を使用する。
【００１８】
無線アクセス・ネットワーク１００には、多数のセル１１２、１１４および１１６の各々に関連して、それぞれアクセスポイント１２２、１２４および１２６をさらに備える。アクセスポイントは、例えば公衆交換電話網（ＰＳＴＮ）、ＩＰネットワークまたは無線アクセス・ネットワークのような基盤ネットワーク１３０に接続可能である。
【００１９】
多くのユーザ機器Ａ１、Ｂ１、Ｃ１、Ｃ２は無線アクセス・ネットワーク１００の無線受信地域の下に設置され、現在位置するセルと関連するアクセスポイントにより、基盤ネットワーク１３０に接続可能である。図１の現行のシナリオでは、セル１１２のユーザ機器Ａ１はアクセスポイント１２２を経由して基盤ネットワーク１３０に接続可能であり、セル１１４のユーザ機器Ｂ１はアクセスポイント１２４を経由して基盤ネットワーク１３０に接続可能であり、セル１１６のユーザ機器Ｃ１およびＣ２はアクセスポイント１２６を経由して基盤ネットワーク１３０に接続可能である。ユーザ機器は、モバイル端末、携帯情報端末（ＰＤＡ）、ラップトップ・コンピュータまたはあらゆる型式の無線リソースを使用する通信の可能なデバイスであってもよい。
【００２０】
セルのいずれかのアクセスポイント（図１のアクセスポイントのいずれか）が特定チャネルを使用している場合、アクセスポイントは当該特定チャネルを使用している、即ち、占有していることを示す情報を送出する。これを実行するには、信号シンボルを定義して下りリンク・チャネルで基準シンボルを送るか、または、同報チャネルを使用して前述の情報を送出してもよい。これらの方法については、以下にさらに詳細に説明する。無線アクセス・ネットワーク１００のアクセスポイントが送出したこの情報は、隣接セル、即ち、前述の情報を送信するアクセスポイントに関連するセルに隣接するセルのユーザ機器によって受信可能である。この情報を受信するユーザ機器は、それらが通信しているセルのアクセスポイントに前述の情報を報告する。この意味するところは、アクセスポイントは、自身が存在するセルの全てのユーザ機器から、隣接セルでチャネルを占有し、従ってそのチャネルの使用を控え、それによってチャネル干渉を避けることができるかどうかの情報を受信する、ということである。これは、動的セル間チャネル共有を可能にする。アクセスポイントは、ユーザ機器にチャネル／基準シンボルのアイデンティティを告げることにより、どのチャネルについての報告の受信を望むかで決めてもよいし、または、ユーザ機器にＮ個の隣接アクセスポイントのアイデンティティを告げることにより、どのＮ個の隣接アクセスポイントについての報告を望むかで決めてもよい。
【００２１】
・アクセスポイント
本発明について、第１のセル１１２における第１のアクセスポイント１２２の観点から見て、ここで説明する。第１のアクセスポイント１２２は、特定チャネルでのスケジューリング・トラヒックの開始を要求し、従って、利用可能なチャネル、即ち、隣接セルで使用していないチャネルを知ることを要求する。第１のアクセスポイント１２２は、報告を要求する第１のユーザ機器Ａ１に要求を送信する。前述の報告は、多数のセル１１２，１１４，１１６の中の第２の隣接セル１１４、１１６で特定チャネルを使用しているか否かを示している。第１のアクセスポイント１２２は、少なくとも一つの第１のユーザ機器Ａ１から、前述の報告を受信する。報告は、第２の隣接セル１１４、１１６と関連する少なくとも一つの第２のアクセスポイント１２４、１２６から送信した、第１の情報に基づいている。第１のユーザ機器Ａ１が検出すべき第１の情報は、第２の隣接セル１１４、１１６で特定チャネルを使用しているか否かを示す。第１のアクセスポイント１２２が、第１のセル１１２の特定チャネルの使用を開始する場合、第１のセル１１２に隣接する第２のセル１１４、１１６内の第２のユーザ機器Ｂ１、Ｃ１、Ｃ２が検出すべき第２の情報を送信する。第２の情報は、第１のセルで特定チャネルを使用しているということを示す。この例では、第１のアクセスポイントに利用可能なチャネルについて報告する情報と、選択したチャネルを第１のアクセスポイント１１２が使用することを第１のアクセスポイント１１２自身が送出するという情報とを区別するために、第１の情報および第２の情報という表現を使用する。
【００２２】
一つの実施形態では、基準シンボル、例えば、いわゆるパイロットを定義することにより、前述の情報を送信する。基準シンボルは、システムにおける全てのユーザ機器に周知されている既知の信号パターンである。この場合、基準シンボルは、特定チャネルのそれぞれの上りリンクおよび下りリンクの各々と関連する。図１を見て、セル１１２で特定チャネルを使用する場合、アクセスポイント１２２は、特定チャネルに対応する基準シンボル、“ビジー基準シンボル”とも呼ぶが、その送信を保持する。
【００２３】
第１の情報を検出するため、ユーザ機器は、隣接アクセスポイントが送信する基準シンボルを測定する。図１のシナリオでは、隣接セル１１４のユーザ機器Ｂ１および隣接セル１１６のユーザ機器Ｃ１とＣ２は、アクセスポイント１２２が送信したビジー基準シンボルを測定する。ユーザ機器Ｂ１は、自身のアクセスポイント１２４に聞こえたという基準シンボルを報告し、ユーザ機器Ｃ１とＣ２の両方は、それらのアクセスポイント１２６に聞こえたという基準シンボルを報告する。それによって、各アクセスポイントは、どのチャネルが隣接セルで使用されているかを知り、隣接セルにおいて使用されていないチャネルでスケジューリング・トラヒックを開始することができ、即ち、セル間干渉をもたらすであろう同じチャネルでのスケジューリング・トラヒックを回避することができる。
【００２４】
一つの実施形態では、第１のアクセスポイント１２２は、他のアクセスポイント（この例では、第２のアクセスポイント１２４，１２６）との間で起こり得る衝突すべてを検出するために割り当てられる時間フレーム（検出窓とよぶ）の間、特定チャネルのスケジューリング・トラヒックを開始しない。即ち、第２のアクセスポイント１２４、１２６が同じチャネルを割付け、同じ時間に同じ基準シンボルを活性化する場合を検出する。その様な場合、第１のユーザ機器Ａ１は、混雑（ジャム）した基準シンボルを検出するか、もしアクセスポイントのアイデンティティを基準シンボルからデコードできれば、二つのアクセスポイント１２４、１２６が同時に同じ基準シンボルを送信しているということを検出するであろう。第１のユーザ機器Ａ１が第１のアクセスポイント１２２に衝突を報告する場合、第１のアクセスポイント１２２はバックオフ段階に入るであろうが、その間、基準シンボルの送信を停止し、チャネルを割付けるための更なるいかなる試行を止めるまで、ランダム番号を取り出す。この時間フレームをバックオフ窓と呼び、時間はランダム数で定義する。即ち、一つ以上のアクセスポイントが同じチャネルの同時に使用することを要求する場合、この状況を解決するために第１のアクセスポイント１２２はバックオフ窓を使用する。バックオフ窓が経過すると、第１のアクセスポイント１２２は、第１のユーザ機器Ａ１の基準シンボル報告に基づいてチャネルは使用されていないということを検出し、チャネルを確保するため、同じメカニズムを再び繰り返す。即ち、第１のユーザ機器Ａ１の基準シンボル報告を評価し、利用可能なチャネルを選択し、対応する基準シンボルの送信を開始する。もし特定チャネルがまだ使用されていれば、何も起きない、即ち、この特定チャネルはまだ第１のアクセスポイント１２２には利用可能でなく、これは、他の全てのチャネルが同様に利用できないであろうということと同じである。第１のアクセスポイント１２２は、連続的に全てのチャネルについての報告を受信するであろうが、この特定チャネルを他の全てのチャネルと同じく扱うであろう。特定チャネルが幾らか遅れた時点で自由になると、第１のアクセスポイント１２２はそれを得ようと試みてもよい。また、注意すべきことは、バックオフ窓の間、第１のアクセスポイント１２２はまだ他のチャネルを獲得しようと試みることができ、即ち、バックオフ窓はその特別なチャネルへのアクセスをブロックするのみである、ということである。（この同じメカニズムは、チャネル占有情報を同報チャネルで送信する場合のケースでも適用可能であり、以下を参照のこと。）また、隣接セル１１４、１１６のユーザ機器Ｂ１、Ｃ１、Ｃ２は衝突を検出し、第２のアクセスポイント１２４，１２６に報告する（自分自身のアクセスポイントにそれぞれ報告する）であろうが、その第２のアクセスポイント１２４、１２６は、また、バックオフ段階に入るであろう。各連続する衝突の後は、バックオフ窓を増加してもよい。もし第１のユーザ機器Ａ１が、検出窓で基準シンボルの衝突を全く報告しないなら、第１のアクセスポイント１２２は、選択されたチャネルを成功裏に獲得し、そのチャネルでスケジューリング・トラヒックを開始すると仮定する。上記のように、第１のアクセスポイント１２２は、対応するチャネルが使用中であることを隣接の第２のユーザ機器Ｂ１、Ｃ１、Ｃ２に示すため、連続して基準シンボルを送信し続ける。負荷が減少し、第１のアクセスポイント１２２が選択されたチャネルをこれ以上要求しない場合、第１のアクセスポイント１２２は、選択されたチャネルに対応する第２の情報の送信を停止する、即ち、この例では、第１のアクセスポイント１２２は、選択されたチャネルに対応するビジー基準シンボルの送信を停止し、それによって、選択されたチャネルは、隣接の第２のアクセスポイント１２４、１２６による潜在的使用に利用できるようになる。
【００２５】
上りリンク・チャネル２００と下りリンク・チャネル２０１を示す図２を参照する。対応する基準シンボルチャネルに関連する上りリンクＣｕ，ｉと下りリンクＣｄ，ｊの両方における各チャネルに対する基準シンボルを、それぞれＰｕ，ｉとＰｄ，ｊで示す。この意味するところは、上りリンク番号１のＣｕ，１は、矢印２０３で示す基準シンボルＰｕ，１に対応し、下りリンク１のＣｄ，１は、矢印２０４で示すように、基準シンボルＰｄ，１に対応し、上りリンク番号ＮのＣｕ，Ｎは、矢印２０５で示すように、基準シンボルＰｕ，Ｎに対応し、下りリンク番号ＮのＣｄ，Ｎは、矢印２０６で示す基準シンボルＰｄ，Ｎに対応し、ここでＮはチャネル番号である、ということである。
【００２６】
特定チャネルがセル１１２で使用中である場合、アクセスポイント１２２は対応する基準シンボルを連続して送信し続け、隣接セル１１４のユーザ機器Ｂ１および隣接セル１１６のユーザ機器Ｃ１とＣ２を有効化して基準シンボルを感知し、それら自身のアクセスポイント１２４、１２６に、上記で説明した隣接セルで使用中のチャネルを報告するであろう。
【００２７】
本発明の一つの実施形態では、基準シンボルを送信する第１のアクセスポイント１２２のアクセスポイント・アイデンティティを基準シンボルに符号化し、基準シンボルはユーザ機器Ｂ１、Ｃ１、Ｃ２を有効化して、基準シンボルを送信するアクセスポイント１２２がどれなのかを決定するために基準シンボルを聴取する。また、その他のアクセスポイント１２４と１２６は同じ方法でそれらの基準シンボルの符号化を完了する。次に、アクセスポイント１２２は、基準シンボルのアイデンティティを設定することができ、それが必要とする隣接アクセスポイント１２４、１２６はそこから報告する。第１の情報を見つけ出す要求には、隣接の第２のアクセスポイント１２４，１２６のアイデンティティを備えてもよく、第１の情報が送信されたかどうかを第１のユーザ機器Ａ１はそこから検出する。
【００２８】
図２に示すように、下りリンクのみならず上りリンクに対しても下りリンク基準シンボルを関連させることにより、上りリンクの対応するチャネルを使用すると思われるケースでは、それらの伝送が隣接セルの他のユーザ機器の上りリンク伝送と干渉するであろうということを、隣接セルのユーザ機器は検出できる。隣接セルが使用する上りリンク・チャネルについてのユーザ機器の報告なしでは、アクセスポイントは、自身のユーザ機器の上りリンク伝送が隣接セルにおける伝送と干渉するということを検出できないであろう。
【００２９】
従来技術の解決策において、下りリンク・チャネルと関連する下りリンク基準シンボルの使用を採用しているが、他の理由のため、例えば同期化のため、チャネル評価／復号化のため、または、リンク適応のため、およびチャネル品質表示（ＣＱＩ）報告のような周波数領域スケジューリングのため、これらの基準シンボルを使用している。本発明によれば、他の理由以外で下りリンク基準シンボルをすでに使用しているケースでは、対応する下りリンク・チャネルの占有を示すために使用する追加の特定の下りリンク基準シンボルは、図２で示すように定義される。それ故、これらの基準シンボルは、例えばＣＱＩ測定のような他の理由で使用する基準シンボルから分離しているであろう。
【００３０】
本発明の別の実施形態では、アクセスポイント１２２は同報チャネルを使用し、基準シンボルを定義する代案として、上りリンクおよび下りリンクのチャネルを使用しているか否かという第２の情報を同報することができる。同報情報には、（１），（２）で表現するように、使用中チャネル（ＤＬ＿ｃｈ＿ｕｓｅ）である上りリンク・チャネルに対するチャネル・アイデンティティφ（ＵＬ＿ｃｈ＿ＩＤｓ）および下りリンク・チャネルに対するチャネル・アイデンティティθ（ＤＬ＿ｃｈ＿ＩＤｓ）を含むベクトルのセットから構成してもよい。即ち、ベクトルには、現在占有されているチャネルのアイデンティティが含まれ、上りリンクおよび下りリンク・チャネルに対してそのような一つのベクトルがある。
【００３１】
ＵＬ＿ｃｈ＿ＩＤｓ＝［φ１、φ２、・・・、φＫ］      （１）
ＤＬ＿ｃｈ＿ＩＤｓ＝［θ１、θ２、・・・、θＬ］      （２）
ここで、ＵＬ＿ｃｈ＿ＩＤｓは上りリンク・チャネルのアイデンティティを、φ１は第１のチャネルのアイデンティティを、φ２は第２のチャネルのアイデンティティ、φＫはチャネル番号Ｋのアイデンティティを示し、そして、ＤＬ＿ｃｈ＿ＩＤｓは下りリンク・チャネルのアイデンティティを、θ１は第１のチャネルのアイデンティティを、θ２は第２のチャネルのアイデンティティを、θＬはチャネル番号Ｌのアイデンティティを示す。上記の表現では、上りリンクの総計Ｎ個のチャネルの内のＫ個のみの、下りリンクの総計Ｍ個のチャネルの内のＬ個のみのチャネル占有を仮定している。
【００３２】
隣接セル１１４と１１６のユーザ機器Ｂ１、Ｃ１、Ｃ２は、隣接アクセスポイント１２２の同報チャネルを読み、チャネル占有情報をそれら自身のアクセスポイント１２４、１２６に逆に報告する。
【００３３】
上で説明した検出窓とバックオフ窓のメカニズムは、この別の実施形態でも適応可能である。
【００３４】
ここで、本発明による、第１のアクセスポイント１２２が実行する方法のステップについて、図３のフローチャートを参照して説明する。
【００３５】
３０１．  第１のアクセスポイント１２２は、第２の隣接セル１１４、１１６で特定チャネルを使用しているか否かを示す第１の情報を備える報告を送信する要求を、少なくとも一つの第１のユーザ機器Ａ１に送信する。
【００３６】
３０２．  第１のアクセスポイントは少なくとも一つのユーザ機器Ａ１から報告を受信し、そして評価し、評価した第１の情報に基づき、使用するのに利用可能ならば、特定チャネルを選択する。
【００３７】
３０３．  第１のアクセスポイント１２２は、選択したチャネルに関連するビジー基準シンボルまたは関連同報情報を送信することにより、チャネルの使用を示す第２の情報を送出する。第２の情報は、第１のセル１１２に隣接する第２のセル１１４、１１６にある第２のユーザ機器Ｂ１、Ｃ１、Ｃ２によって、検出されてもよく、各々の第２のユーザ機器Ｂ１、Ｃ１、Ｃ２は、それぞれに関連する第２のアクセスポイント１２４、１２６に、第２のセルにある第２の情報を報告する。
【００３８】
３０４．  第１のアクセスポイント１２２は、検出窓の間、第１のユーザ機器Ａ１からの第１の情報の受信と評価を続ける。第１のアクセスポイント１２２は、もう一つのアクセスポイントとの潜在的衝突全てを検出するため割り付けたある時間フレーム、いわゆる検出窓の間、選択されたチャネルでのトラヒックのスケジューリングを開始しない。即ち、もう一つの隣接アクセスポイント、即ち、この例では第２のアクセスポイント１２４、１２６が、第１のアクセスポイント１２２と同じ特定チャネルを割付けそして同じ基準シンボルを活性化し、または、同じ時間に関連情報を送信するかどうかを検出ためである。
【００３９】
３０５．  少なくとも一つのユーザ機器Ａ１のどれかが、第２のアクセスポイント１１４、１１６で特定チャネルを使用するということを報告したか？
３０６．  もしステップ３０５での質問に対して、答えがいいえであれば、第２のアクセスポイント１２２は、選択した特定チャネルでトラヒックのスケジューリングを開始する。
【００４０】
３０７．  第１のアクセスポイント１２２が選択したチャネルをもうこれ以上要求しない場合、選択したチャネルに関連するビジー基準シンボルまたは関連同報情報の送信を停止することにより、特定チャネルを開放し、チャネルの使用を示す第２の情報の送出を停止する。それにより、他のアクセスポイント、即ち、この例では第２のアクセスポイント１２４、１２６による潜在的使用に対して、選択したチャネルは利用可能となる。
【００４１】
３０８．  もしステップ３０５での質問に対して、答えがはいであれば、第１のアクセスポイント１２２は、選択したチャネルに関連するビジー基準シンボルまたは関連同報情報を使用する第２の情報の送出を停止する。
【００４２】
３０９．  第１のアクセスポイント１２２は、選択したチャネルの割付けの更なる試みをやめるまで、ランダム番号を取り出す。この時間フレームをバックオフ窓と呼ぶ。第１のアクセスポイント１２２は、バックオフ窓の間、第１のユーザ機器Ａ１から第１の情報報告の受信と評価を継続する。バックオフ窓の間、第１のアクセスポイントは単に選択したチャネの予約を禁止するのみであるが、まだ他の利用可能なチャネルを予約することはできる。第１のアクセスポイント１２２は前述の報告を評価し、もう一つのチャネルを選択してもよく、または、バックオフ窓が終了し、チャネルが利用可能である場合は、選択したチャネルに関連するビジー基準シンボルまたは関連同報情報を送信することにより、チャネルの使用を示す第２の情報を送出して、選択したチャネルの再予約を試みることができ、一方、検出窓時間、即ち、ステップ３０２の方法から反復する同じ手順の間、第１のユーザ機器Ａ１の報告を聴取し続ける。
【００４３】
第２の実施形態では、パケット・バイ・パケット原則でセル間の利用可能なチャネルを共有するため、同じメカニズムを使用する。これは、アクセスポイントは、パケットの送信に必要とする時間の間のみ、チャネルを予約する、ということを意味する。ユーザ機器が、とにかく伝送を開始することができる前に、そのアクセスポイントにチャネル要求を送信しなければならないという上りリンクにおいては、その様なスキームは最も便利である可能性がある。従って、ユーザ機器が検出する情報を備える報告を、そのアクセスポイントに送信するチャネル要求に備えることは、好ましいことである。こなため、アクセスポイントは、ユーザ機器の上りリンク伝送に割付けるように、隣接セルで使用しないチャネルを選択することができ、このことを、チャネル許可メッセージでユーザ機器に信号で返す。ここで、本発明の第２の実施形態により、第１のアクセスポイント１２２が実行する方法のステップについて、図４のフローチャートを参照して説明する。
【００４４】
４０１．  第１のユーザ機器Ａ１から上りリンク・スケジューリング要求を受信し、その要求には、第２の隣接セル１１４、１１６で特定チャネルを使用しているか否かを示す第１の情報をどの報告が含んでいるか、という報告を含む。
【００４５】
４０２．  第１のアクセスポイント１２２は、報告された要求に含まれる第１の情報を評価する。その報告に基づき、第１のアクセスポイント１２２は、第２の隣接セル１１４、１１６で使用していない利用可能なチャネルを選択し、第１のユーザ機器Ａ１に割付ける。次に、第１のアクセスポイント１２２は、選択したチャネルにより、スケジューリング許可を生成する。
【００４６】
４０３．  選択した上りリンク・チャネルに対応するビジー基準シンボル、または、選択したチャネルと関連する関連同報情報を送出することにより、第１のアクセスポイント１２２は、選択したチャネルを使用していることを示す第２の情報の送出を開始する。
【００４７】
４０４．  第１のアクセスポイント１２２は、第１のユーザ機器Ａ１にスケジューリング許可を送信する。
【００４８】
４０５．  第１のアクセスポイント１２２は、第１のユーザ機器Ａ１から上りリンク伝送を受信する。
【００４９】
４０６．  スケジューリング許可が終了すると、第１のアクセスポイント１２２は、ビジー基準シンボルまたは関連同報情報の送信を停止することにより、選択したチャネルを開放する。
【００５０】
上述の方法のステップを実行するため、第１のアクセスポイント１２２には、図５に示す装置５００を備える。アクセスポイント装置５００には、第１のセル１１２の少なくとも一つの第１のユーザ機器Ａ１に、第１の情報を見つけ出すよう要求する要求を送信する５０１手段、および、少なくとも一つの第１のユーザ機器Ａ１から、多数のセル１１２、１１４、１１６の中の第２の隣接セル１１４、１１６で特定チャネルを使用しているか否かを示す報告と、第２の隣接セル１１４、１１６に関連する少なくとも第２のアクセスポイント１２４、１２６から送信される第１の情報に基づく報告と、ユーザ機器Ａ１が検出する情報であり、そして第２の隣接セル１１４、１１６で特定チャネルを使用しているかしないかを示す情報を受信する５０２手段を備える。
【００５１】
アクセスポイント装置５００には、第１のセル１１２の特定チャネルを使用する場合、第２の情報を送信する５０３手段をさらに備え、第２の情報は、第１のセル１１２に隣接する第２のセル１１４、１１６の第２のユーザ機器Ｂ１、Ｃ１、Ｃ２により検出され、第２の情報は、第１のセル１１２で使用する特定チャネルを示す。
【００５２】
アクセスポイント装置５００には、上述の報告における第１の情報を評価する５０４手段と、もし評価結果により特定チャネルが利用可能であれば、使用する特定チャネルを選択する５０５手段と、選択した特定チャネル上でトラヒックをスケジューリングする５０６手段とを、さらに備える。それには、これ以上特定チャネルを使用する必要がない場合、第２の情報の送信を停止する５０７手段と、また、もし、検出窓の間に第２の隣接セル１１４、１１６で特定チャネルを使用していることを示す報告を受信したなら、第２の情報の送出を停止する５０８手段とを、さらに備える。
【００５３】
一つの実施形態では、送信手段５０２は、使用する特定チャネルに対応する基準シンボルＰｕ，ｉ、Ｐｄ，ｊを送信する手段５０９を含む。その場合、アクセスポイント装置５００には、特定チャネルの各上りリンクＣｕ，ｉチャネルと下りリンクＣｄ，ｊチャネルの各々と、基準シンボルＰｕ，ｉ、Ｐｄ，ｊとを関連付ける手段５１０を備える。もう一つの実施形態では、また、基準シンボルを送信する第１のアクセスポイント１２２のアクセスポイント・アイデンティティを、基準シンボルＰｕ，ｉ、Ｐｄ，ｊに復号する手段５１１がある。また、第１の情報を見付け出す要求に第１の情報を送信しているか否かを第１のユーザ機器（Ａ１）が検出すべきである隣接の第２のアクセスポイント１２４、１２６のアイデンティティを備える手段５１２を、アクセスポイント装置５００に備える。
【００５４】
もう一つの実施形態では、送信手段５０２は、チャネル・アイデンティティを含む一連のベクタと対応するチャネル占有とを、どの第２の情報が備えてもよいか、同報チャネルで第２の情報を送信する手段５１３を含む。
【００５５】
アクセスポイント装置５００は、コンピュータ・プログラム・コードと一緒に、本発明の機能を実行するプロセッサ５１４をさらに備える。
【００５６】
・ユーザ機器
本発明により、および一般的観点から見て、第１のセル１１２の第１のユーザ機器Ａ１について、ここで説明する。上述のように、第１のアクセスポイントは、特定チャネルでスケジューリング・トラヒックを開始することを要求し、従って、利用可能なのはどのチャネルか、即ち、隣接セルで使用していないチャネルを知ることを要求する。第１の情報が、第１のセル１１２に隣接する第２のセル１１４、１１６と関連する少なくとも一つの第２のアクセスポイント１２４、１２６から送信されたかどうかを、第１のユーザ機器Ａ１は検出する。第１の情報は、第２の隣接セル１１４、１１６で特定チャネルを使用しているか否かを示す。次に、第１のユーザ機器Ａ１は、検出した第１の情報に基づき、第２の隣接セル１１４、１１６で特定チャネルを使用しているか否かを第１のアクセスポイント１１２に報告する。第１のユーザ機器Ａ１と同じ第１のセル１１２に、第１のアクセスポイント１１２を位置づける。
【００５７】
第２のアクセスポイント１２４、１２６は、上記で説明したように、基準シンボルを定義することにより、または、同報チャネルを使用して、第１の情報を送信してもよい。従って、第２のアクセスポイント１２４、１２６が下りリンク・チャネルで送信する基準シンボルのような基準シンボルを測定することにより、第１の情報の検出を実行してもよい。チャネルが占有されているか否かは、基準シンボルが、第１のアクセスポイント１２２により設定される閾値以上か以下かにより分かる。もう一つの方法は、第２のアクセスポイント１２４、１２６がその方法で情報を送信したかどうかを、ユーザ機器Ａ１が同報チャネルを聞くことである。
【００５８】
一つの実施形態では、ユーザ機器Ａ１は第１のアクセスポイント１２２からの要求を受信し、その要求には、それについて第１のアクセスポイント１２２が報告を要求するチャネル／基準シンボルのアイデンティティを備える。もう一つの実施形態では、ユーザ機器Ａ１は第１のアクセスポイント１２２からの要求を受信し、その要求には、それから第１のアクセスポイント１２２が報告を要求する隣接アクセスポイント１２４、１２６のアイデンティティを備える。
【００５９】
本発明の一つの実施形態では、基準シンボルを送信する各隣接アクセスポイント１２４、１２６のアクセスポイント・アイデンティティを基準シンボルに復号し、その場合、基準シンボルを送信するのはどちらの隣接アクセスポイント１２４、１２６かを決定するため、ユーザ機器Ａ１は基準シンボルに聞く。次に、ユーザ機器Ａ１は、チャネルを占有しているか否かの情報と一緒に、各隣接アクセスポイント１２４、１２６のアイデンティティを報告し、その結果、どのセルで、あるチャネルを使用しているのか、第１のアクセスポイント１２２は知る。また、本発明のもう一つの実施形態では、聞くべき基準シンボルの品質を上述の報告に追加する。これにより、第１のアクセスポイント１２２は、個々のユーザ機器により実際に測定した信号品質を比較して、更に高度の決定を下すことができる。即ち、第１のユーザ機器Ａ１が品質情報無しで報告を送信する場合、それは二値情報（はい、または、いいえ）のみであるが、実際の情報も報告すると、それは更なる情報であり、第１のアクセスポイント１２２は、報告を完了した異なるユーザ機器からの品質を比較してもよい。
【００６０】
更なる実施形態では、ユーザ機器Ａ１は、自分自身のアクセスポイントに、Ｎ個の隣接アクセスポイント１２４、１２６の基準シンボルのアイデンティティと品質を報告するが、ここで、Ｎは、例えば、無線アクセス・ネットワーク１００または第１のアクセスポイントが設定する。次に、アクセスポイントには、どれを使用するかしないかを決定する。この場合に送信する情報を制限するため、ユーザ機器は、その品質がある閾値（ガンマ）以下の基準シンボル品質のチャネルのアイデンティティを報告するが、ここで、無線アクセス・ネットワーク１００または第１のアクセスポイントＡ１が、ガンマを設定してもよい。
【００６１】
一つのシナリオでは、二つ以上の第２のアクセスポイント１２４，１２６は、同じ基準シンボルを送信している。その場合、第１のユーザ機器Ａ１は、もし二つ以上の第２のアクセスポイント１２４、１２６からの信号強度がユーザ機器Ａ１でほぼ同じであれば、山積みの基準シンボルを検出するか、または、もしユーザ機器Ａ１の位置で検出した信号に一つの強力な基準シンボルがあれば、正しく基準シンボルを検出することができる。このことは、ユーザ機器Ａ１は、基準シンボルの少なくとも三つの状態、検出、未検出または混雑（ジャム）、を報告してもよい、ということを意味する。
【００６２】
ここで、本発明により第１のユーザ機器１２２が実行する方法のステップについて、図６のフローチャートを参照して説明する。
【００６３】
６０１．  第１のユーザ機器Ａ１は第１のアクセスポイント１２２から要求を受信し、第１のセル１１２に隣接する第２のセル１１４、１１６と関連のある少なくとも一つの第２のアクセスポイント１２４、１２６から、第１の情報が送られているか否かを要求するが、ここで、第１の情報は、第２のセル１１４、１１６で特定チャネルを使用しているか否かを示す。
【００６４】
６０２．  第１のユーザ機器Ａ１は、特定チャネルに対応するビジー基準シンボルを測定することにより、第１の情報を送信したのかどうか、または、第２のアクセスポイント１２４、１２６が送信した特定チャネルに関係する同報情報を第１の情報が読んだのかどうか、の検出を開始する。
【００６５】
６０３．  検出ステップを実行した場合、感知した基準シンボルに変化がある時、または第１のアクセスポイント１２２が停止するよう要求するまで、第１のユーザ機器Ａ１は、第１の情報を備える報告を第１のアクセスポイント１２２に、周期的に、または求められた時に、送信する。
【００６６】
上記の第２の実施形態では、アクセスポイントのもとで、上記のようにパケット・バイ・パケットのベースで、セル間で利用可能なチャネルを共有するため、本発明の方法を使用する。ここで、本発明の第２の実施形態により、第１のユーザ機器Ａ１が実行する方法のステップについて、図７のフローチャートを参照して説明する。
【００６７】
７０１．  上りリンク伝送を開始するに先だって、第１のセル１１２に隣接する第２のセル１１４、１１６と関連する少なくとも一つの第２のアクセスポイント１２４、１２６から、第１の情報を送信したかどうか、ユーザ機器Ａ１が検出するが、第１の情報は、第２の隣接セル１１４、１１６で特定チャネルを使用しているか否かを示すものである。特定チャネルに対応するビジー基準シンボルを測定することにより、または、第２のアクセスポイント１２４、１２６が送信した特定チャネルに関係する同報情報を聞くことにより、第１のユーザ機器Ａ１は第１の情報を見つけ出す。
【００６８】
７０２．  第１のユーザ機器Ａ１は、スケジューリング要求と検出した第１の情報を備える報告とを、第１のアクセスポイント１２２に送信する。
【００６９】
７０３．  特定チャネルに対応するビジー基準シンボルを測定し続けることにより、または、特定チャネルに関係する同報情報を聞き続けることにより、第２のアクセスポイント１２４、１２６が第１の情報を送信したかどうか、第１のユーザ機器Ａ１は検出し続ける。
【００７０】
７０４．  第１のアクセスポイント１２２からの要求に応答して報告された第１の情報に基づき、第１のアクセスポイント１２２が選択したチャネルに対するスケジューリング許可を、第１のユーザ機器Ａ１は受信する。
【００７１】
７０５．  選択したチャネルは、まだ自由であるか？答えは、第１のユーザ機器Ａ１が第１の情報を検出し続ける場合、これ以上基準シンボルを測定することが無いかどうか、または、全ての衝突する同報情報を検出したかどうかに基づくであろう。チャネルがこれ以上自由でないなら、新しいスケジューリング要求と最新の検出した第１の情報とを送信して、方法はステップ７０２に戻る。
【００７２】
７０６．  もし選択したチャネルがまだ自由であれば、ユーザ機器Ａ１は、スケジューリング許可により、上りリンク・トラヒックを送信する。
【００７３】
本発明による方法のステップを実行するため、第１のユーザ機器Ａ１には、図８に示す装置８００を備える。ユーザ機器装置８００には、多数のセル１１２、１１４、１１６の中の第２のセル１１４、１１６と関連する少なくとも一つの第２のアクセスポイント１２４、１２６から、第１の情報を送信するかどうかを検出する８０１手段を備え、ここで、第２のセル１１４、１１６は第１のセル１１２に隣接するものであり、第１の情報は、第２の隣接セル１１４、１１６で特定チャネルを使用しているか否かを示すものであり、更に、検出した第１の情報に基づき、第１のユーザ機器Ａ１と同じ第１のセルに位置する第１のアクセスポイント１２２に、第２の隣接セル１１４、１１６で特定チャネルを使用しているか否かを報告する８０２手段とを備える。報告手段８０２が報告する報告に第１の情報を送信した第２のアクセスポイント１２４、１２６のアクセスポイント・アイデンティティを備える手段を、報告手段８０２に含めてもよい。
【００７４】
もう一つの実施形態では、検出手段８０１には、第２のアクセスポイント１２２から基準シンボルＰｕ，ｉ、Ｐｄ，ｊを送信しているか否かを測定する手段８０３を含む。
【００７５】
もう一つの実施形態では、検出手段８０１には、第２のアクセスポイント１２２から第１の情報を送信しているか否か、同報チャネルに聞く手段８０４を含む。
【００７６】
更なる実施形態には、第２のアクセスポイント１２４、１２６から第１の情報を送信しているか否かを要求する第１のアクセスポイント１２２からの要求を受信する８０５手段を備える。次に、上述の要求を受信した時、検出プロセスを実行する。
【００７７】
一つの実施形態では、チャネルはパケット・バイ・パケット原則を使用しており、この場合、ユーザ機器装置８００には、第２の隣接セル１１４、１１６で特定チャネルを使用しているか否かの報告を備える第１のアクセスポイント１２２へのスケジューリング要求を送信する８０６手段をさらに備え、また、ユーザ機器装置８００は、報告した第１の情報に基づき、第１のアクセスポイント１２２が選択した特定チャネルに対するスケジューリング許可を受信する８０７手段を備える。
【００７８】
ユーザ機器装置８００には、コンピュータ・プログラム・コードと一緒に本発明の機能を実行するプロセッサ８０９を更に備えてもよい。
【００７９】
本発明による動的セル間チャネル共有方法は、図５に示すアクセスポイント装置におけるプロセッサ５１４、および、図８に示すユーザ機器装置におけるプロセッサ８０９のような、一つ以上のプロセッサを通して、本発明の機能を実行するためのコンピュータ・プログラム・コードと一緒に実装することができる。また、上記のプログラム・コードを、例えば、アクセスポイントそして／またはユーザ機器にロードした場合、本発明による方法を実行するコンピュータ・プログラム・コードを持ち運ぶデータ・キャリアの型式で、コンピュータ・プログラム製品として提供してもよい。一つのその様なキャリア９００を、ＣＤ  ＲＯＭディスクの型式で、図９に一般的に要約する。しかしながら、メモリ・ステックのような他のデータ・キャリアで実現できる。その上、コンピュータ・プログラム・コードをサーバ上の純粋なプログラム・コードとして提供可能であり、アクセスポイントそして／またはユーザ機器に遠隔操作でダウンロードできる。
【００８０】
本発明は、上記で説明した好ましい実施形態に制限されない。各種の代案、修正案および等価物を使用してもよい。従って、上記の実施形態を、添付の特許請求範囲が定める本発明の範囲を制限するものとして取るべきではない。
【図面の簡単な説明】
【００８１】
【図１】本発明による無線アクセス・ネットワークを示す概略ブロック図である。
【図２】本発明による基準シンボルを示す図である。
【図３】本発明によるアクセスポイントにおける方法を示すフローチャートである。
【図４】本発明によるパケット・バイ・パケット・ベースでのチャネルを使用する場合のアクセスポイントにおける方法を示すフローチャートである。
【図５】本発明によるアクセスポイントにおける装置を示すブロック図である。
【図６】本発明によるユーザ機器における方法を示すフローチャートである。
【図７】本発明によるパケット・バイ・パケット・ベースでのチャネルを使用する場合のユーザ機器における方法を示すフローチャートである。
【図８】本発明によるユーザ機器における装置を示すブロック図である。
【図９】本発明によるデータ・キャリアを示すブロック図である。
【図１】
2009521829.tif 000003
【図２】
2009521829.tif 000004
【図３】
2009521829.tif 000005
【図４】
2009521829.tif 000006
【図５】
2009521829.tif 000007
【図６】
2009521829.tif 000008
【図７】
2009521829.tif 000009
【図８】
2009521829.tif 000010
【図９】
2009521829.tif 000011
【国際調査報告】
2009521829.tif 000012
2009521829.tif 000013
2009521829.tif 000014
2009521829.tif 000015